(57)【特許請求の範囲】
【請求項１】
上縁部に胴周り開口と、下縁部に一対の脚周り開口とを有する使い捨てのトランクス型パンツであって、
前記パンツが、上下端縁および内外側縁を有して互いに面対称にある一対の中間身頃シートと、上下端縁および内外側縁を有し、前記中間身頃シートの外側に位置して互いに面対称にある一対の左右身頃シートとから構成され、
前記中間身頃シートには、前記内外側縁の間において前記上端縁から前記下端縁へ向かって弧を画く凹欠部が形成され、前記中間身頃シートどうしが、合掌状に重なり合うとともに前記凹欠部の縁をわずかに残して該凹欠部に沿って互いに固着され、前記中間身頃シートの一方と前記左身頃シートとが、合掌状に重なり合うとともにそれらシートの前記内外側縁をわずかに残してそれら内外側縁に沿って互いに固着され、前記中間身頃シートの他方と前記右身頃シートとが、合掌状に重なり合うとともにそれらシートの前記内外側縁をわずかに残してそれら内外側縁に沿って互いに固着されていることを特徴とする前記パンツ。
【請求項２】
前記中間身頃シートの前記上端縁に対する前記凹欠部の縁の交差する角度が３０°〜９０°の範囲にあり、前記中間身頃シートの前記上端縁における前記内側縁から前記凹欠部の縁までの寸法が、前記外側縁から前記凹欠部の縁までの寸法よりも大きく、かつ、それら寸法が前記中間身頃シートの前記上端縁の幅方向の寸法の５％〜３０％の範囲にある請求項１記載のパンツ。
【請求項３】
前記凹欠部の底が、前記中間身頃シートの前記内側縁の側に偏倚している請求項１または請求項２記載のパンツ。
【請求項４】
前記胴周り開口の周縁部の周り方向へ延びる第１弾性部材が、前記左右身頃シートの内外面のうちの少なくとも一方に伸長状態で取り付けられている請求項１ないし請求項３いずれかに記載のパンツ。
【請求項５】
前記脚周り開口の周縁部の周り方向へ延びる第２弾性部材が、前記中間身頃シートと前記左右身頃シートとのうちの少なくとも一方に伸長状態で取り付けられている請求項１ないし請求項４いずれかに記載のパンツ。
【請求項６】
前記中間身頃シートと前記左右身頃シートとのうちの少なくとも一方が、不織布である請求項１ないし請求項５いずれかに記載のパンツ。
【発明の詳細な説明】
【０００１】
【発明の属する技術分野】
本発明は、使い捨てのトランクス型パンツに関する。
【０００２】
【従来の技術】
トランクスやブリーフ等のパンツは、前身頃や後身頃のような部分ごとに生地を裁断し、これら生地を縫い合わせて製造される。縫製が完了したパンツは、プレスがけ、熱セット等の仕上げ工程を経て、検査の上完成品となる。
【０００３】
【発明が解決しようとする課題】
このようなパンツは、繰り返しの使用を前提としているが、手術や検査を行う際に医師や看護婦、患者等が着用し、使用後に廃棄される使い捨てパンツの需要が増えてきている。また、パンツには、着用中の感触に優れることが要求されるが、トランクス型のパンツでは、裾部が着用者の大腿部に密着していないので、着用中に裾部が着用者の大腿部から上方へめくり上がって着用感を損ねることがある。
【０００４】
本発明の課題は、裾部がめくり上がり難く、使用後はそのまま廃棄することができるトランクス型パンツの提供である。
【０００５】
【課題を解決するための手段】
前記課題を解決するために、本発明が前提とするところは、上縁部に胴周り開口と、下縁部に一対の脚周り開口とを有する使い捨てのトランクス型パンツである。
【０００６】
かかる前提において、本発明が特徴とするところは、前記パンツが、上下端縁および内外側縁を有して互いに面対称にある一対の中間身頃シートと、上下端縁および内外側縁を有し、前記中間身頃シートの外側に位置して互いに面対称にある一対の左右身頃シートとから構成され、前記中間身頃シートには、前記内外側縁の間において前記上端縁から前記下端縁へ向かって弧を画く凹欠部が形成され、前記中間身頃シートどうしが、合掌状に重なり合うとともに前記凹欠部の縁をわずかに残して該凹欠部に沿って互いに固着され、前記中間身頃シートの一方と前記左身頃シートとが、合掌状に重なり合うとともにそれらシートの前記内外側縁をわずかに残してそれら内外側縁に沿って互いに固着され、前記中間身頃シートの他方と前記右身頃シートとが、合掌状に重なり合うとともにそれらシートの前記内外側縁をわずかに残してそれら内外側縁に沿って互いに固着されていることにある。
【０００７】
本発明の実施の態様の一例としては、前記中間身頃シートの前記上端縁に対する前記凹欠部の縁の交差する角度が３０°〜９０°の範囲にあり、前記中間身頃シートの前記上端縁における前記内側縁から前記凹欠部の縁までの寸法が、前記外側縁から前記凹欠部の縁までの寸法よりも大きく、かつ、それら寸法が前記中間身頃シートの前記上端縁の幅方向の寸法の５％〜３０％の範囲にある。
【０００８】
本発明の実施の態様の他の一例としては、前記凹欠部の底が、前記中間身頃シートの前記内側縁の側に偏倚している。
【０００９】
本発明の実施の態様の他の一例としては、前記胴周り開口の周縁部の周り方向へ延びる第１弾性部材が、前記左右身頃シートの内外面のうちの少なくとも一方に伸長状態で取り付けられている。
【００１０】
本発明の実施の態様の他の一例としては、前記脚周り開口の周縁部の周り方向へ延びる第２弾性部材が、前記中間身頃シートと前記左右身頃シートとのうちの少なくとも一方に伸長状態で取り付けられている。
【００１１】
また、前記中間身頃シートと前記左右身頃シートとのうちの少なくとも一方が、不織布である。
【００１２】
【発明の実施の形態】
添付の図面を参照して、この発明に係る使い捨てのトランクス型パンツの詳細を説明すると、以下のとおりである。
【００１３】
図１，２は、使い捨てのトランクス型パンツ１の斜視図と、一対の中間身頃シート２Ａ，２Ｂと一対の左右身頃シート３Ａ，３Ｂとをそれぞれを面対称に配置した図１のパンツ１の分解平面図である。パンツ１は、互いに接合された中間身頃シート２Ａ，２Ｂと左右身頃シート３Ａ，３Ｂとの上端部に、着用者に対する胴周り開口６を有し、中間身頃シート２Ａ，２Ｂと左右身頃シート３Ａ，３Ｂとの下端部に、着用者に対する一対の脚周り開口７を有する。胴周り開口６の周縁部には、周り方向へ延びる第１弾性部材４Ａ，４Ｂが伸長状態で取り付けられている。脚周り開口７の周縁部には、周り方向へ延びる第２弾性部材４Ｃ，４Ｄ，４Ｅ，４Ｆが伸長状態で取り付けられている。但し、弾性部材は、胴周り開口６の周縁部にだけ取り付けられていてもよい。
【００１４】
パンツ１は、図２に示すように、互いに面対称にある一対の中間身頃シート２Ａ，２Ｂと、中間身頃シート２Ａ，２Ｂそれぞれの外側に位置して互いに面対称にある一対の左右身頃シート３Ａ，３Ｂとから構成されている。図において、それらシート２Ａ，２Ｂ，３Ａ，３Ｂは、互いに鏡像関係にあるので、一方の中間身頃シート２Ａと左身頃シート３Ａとの内外側縁２ａ，２ｂ，３ａ，３ｂそれぞれが、それらシート２Ａ，３Ａに対向配置された他方の中間身頃シート２Ｂと右身頃シート３Ｂとの内外側縁２ａ，２ｂ，３ａ，３ｂそれぞれに対して逆に位置している。
【００１５】
一対の中間身頃シート２Ａ，２Ｂは、互いに平行して幅方向へ延びる上下端縁２ｃ，２ｄと、幅方向と交差して長手方向へ延びる内外側縁２ａ，２ｂとを有する。中間身頃シート２Ａ，２Ｂの上端縁２ｃには、内外側縁２ａ，２ｂの間に位置して上端縁２ｃから下端縁２ｄへ向かって凸となるように弧を画く凹欠部５が形成されている。中間身頃シート２Ａ，２Ｂの凹欠部５それぞれは、互いに面対称にある。
【００１６】
中間身頃シート２Ａ，２Ｂの内側縁２ａは、上端縁２ｃから下端縁２ｄへ向かって、上端縁２ｃの幅方向の寸法を二等分して長手方向へ延びる中心線Ｙ１へ次第に近づくように弧を画いて延びている。中間身頃シート２Ａ，２Ｂの外側縁２ｂは、中心線Ｙ１に対して平行に延びている。中間身頃シート２Ａ，２Ｂの上端縁２ｃの幅方向の寸法Ｗ１は、それらシート２Ａ，２Ｂの下端縁２ｄの幅方向の寸法Ｗ２よりも大きい。
【００１７】
中間身頃シート２Ａ，２Ｂの内外側縁２ａ，２ｂには、それら側縁２ａ，２ｂをわずかに残し、内外側縁２ａ，２ｂに沿って第１接合線Ｂ１が延びている。中間身頃シート２Ａ，２Ｂの凹欠部５には、凹欠部５の縁５ａをわずかに残し、その凹欠部５に沿って第２接合線Ｂ２が延びている。中間身頃シート２Ａ，２Ｂの内面２ｅには、中間身頃シート２Ａ，２Ｂの下端縁２ｄに沿って幅方向へ延びる第２弾性部材４Ｅ，４Ｆを伸長状態で取り付ける。
【００１８】
左右身頃シート３Ａ，３Ｂは、互いに平行して幅方向へ延びる上下端縁３ｃ，３ｄと、幅方向と交差して長手方向へ延びる内外側縁３ａ，３ｂとを有する。左右身頃シート３Ａ，３Ｂの上下端縁３ｃ，３ｄと内外側縁３ａ，３ｂとの寸法は、中間身頃シート２Ａ，２Ｂのそれらと同一である。
【００１９】
左右身頃シート３Ａ，３Ｂの内側縁３ａは、上端縁３ｃから下端縁３ｄへ向かって、上端縁３ｃの幅方向の寸法を二等分して長手方向へ延びる中心線Ｙ２へ次第に近づくように弧を画いて延びている。左右身頃シート３Ａ，３Ｂの外側縁３ｂは、中心線Ｙ２に対して平行に延びている。左右身頃シート３Ａ，３Ｂの上端縁３ｃの幅方向の寸法Ｗ１は、それらシート３Ａ，３Ｂの下端縁３ｄの幅方向の寸法Ｗ２よりも大きい。
【００２０】
左右身頃シート３Ａ，３Ｂの内外側縁３ａ，３ｂには、それら側縁３ａ，３ｂをわずかに残し、内外側縁３ａ，３ｂに沿って第１接合線Ｂ１が延びている。左右身頃シート３Ａ，３Ｂの内面３ｅには、左右身頃シート３Ａ，３Ｂの上端縁３ｃと下端縁３ｄとに沿って幅方向へ延びる第１，２弾性部材４Ａ，４Ｂ，４Ｃ，４Ｄを伸長状態で取り付ける。
【００２１】
図３は、シートそれぞれ２Ａ，２Ｂ，３Ａ，３Ｂを左右対称に配置したパンツ１の分解斜視図である。一対の中間身頃シート２Ａ，２Ｂどうしは、それらシート２Ａ，２Ｂの中心線Ｙ１を互いに一致させて重ね合わせ、それらシート２Ａ，２Ｂの内面２ｅどうしを第２接合線Ｂ２で連続的または間欠的に固着する。このとき、中間身頃シート２Ａ，２Ｂそれぞれの内外側縁２ａ，２ｂと上下端縁２ｃ，２ｄと凹欠部５の縁５ａとが互いに重なり合う。
【００２２】
一方の中間身頃シート２Ａと左身頃シート３Ａとは、それらシート２Ａ，３Ａの中心線Ｙ１，Ｙ２を互いに一致させて重ね合わせ、第１，２弾性部材４Ａ，４Ｃ，４Ｅの伸長状態下において、中間身頃シート２Ａの外面２ｆと左身頃シート３Ａの内面３ｅとを第１接合線Ｂ１で連続的または間欠的に固着する。他方の中間身頃シート２Ｂと右身頃シート３Ｂとは、それらシート２Ｂ，３Ｂの中心線Ｙ１，Ｙ２を互いに一致させて重ね合わせ、第１，２弾性部材４Ｂ，４Ｄ，４Ｆの伸長状態下において、中間身頃シート２Ｂの外面２ｆと左身頃シート３Ｂの内面３ｅとを第１接合線Ｂ１で連続的または間欠的に固着する。このとき、中間身頃シート２Ａ，２Ｂと左右身頃シート３Ａ，３Ｂとの内外側縁２ａ，２ｂ，３ａ，３ｂと上下端縁２ｃ，２ｄ，３ｃ，３ｄとが互いに重なり合う。
【００２３】
図４は、図１のＡ−Ａ線断面図である。互いに固着された中間身頃シート２Ａ，２Ｂは、それらシート２Ａ，２Ｂの凹欠部５の縁５ａがパンツ１の内方へ向かうように合掌状に重なり合っている。一方の中間身頃シート２Ａと左身頃シート３Ａとは、それらシート２Ａ，３Ａの内外側縁２ａ，２ｂ，３ａ，３ｂがパンツ１の外方へ向かうように合掌状に重なり合い、他方の中間身頃シート２Ｂと右身頃シート３Ｂとは、それらシート２Ｂ，３Ｂの内外側縁２ａ，２ｂ，３ａ，３ｂがパンツ１の外方へ向かうように合掌状に重なり合っている。パンツ１は、凹欠部５近傍をパンツ１の外方へ折り返して固着したり、内外側縁２ａ，２ｂ，３ａ，３ｂ近傍をパンツ１の内方へ折り返して固着してはいないので、それらシート２Ａ，２Ｂ，３Ａ，３Ｂの凹欠部５と内外側縁２ａ，２ｂ，３ａ，３ｂとにおいて嵩張ることがない。中間身頃シート２Ａ，２Ｂの上端縁２ｃには、弾性部材が取り付けられていないので、その分弾性部材の厚みを省くことができる。ゆえに、パンツ１を扁平に畳み易い。
【００２４】
シート２Ａ，２Ｂ，３Ａ，３Ｂの内外側縁２ａ，２ｂ，３ａ，３ｂが着用者の腹部や背部に接触することがないので、着用感を損ねることがない。また、シート２Ａ，２Ｂの凹欠部５の縁５ａをわずかに残して固着しているので、凹欠部５の縁５ａが、着用者の股下に接触しても、接合部位での剛性感が緩和されて伝わり、肌触りがよい。
【００２５】
図５は、中間身頃シート２Ａの平面図である。中間身頃シート２Ａの上端縁２ｃに対する凹欠部５の縁５ａの交差する角度α１，α２は、３０°〜９０°の範囲にあることが好ましい。中間身頃シート２Ａの上端縁２ｃにおける内側縁２ａから凹欠部５の縁５ａまでの寸法Ｗ３は、外側縁２ｂから凹欠部５の縁５ａまでの寸法Ｗ４よりも大きく、それら寸法Ｗ３，Ｗ４が、上端縁２ｃの幅方向の寸法Ｗ１の５％〜３０％の範囲にあることが好ましい。寸法Ｗ３，Ｗ４は、可能な限り小さいことがより好ましい。それら寸法Ｗ３，Ｗ４を小さくすることで、左右身頃シート３Ａ，３Ｂそれぞれに取り付けられた第１弾性部材４Ａ，４Ｂの腹部と背部とにおける離間寸法を小さくすることができる。第１弾性部材４Ａ，４Ｂの収縮力が着用者の胴周りのほぼ全周に及ぶようになり、胴周りの締め付けを強くすることができる。
【００２６】
凹欠部５の縁５ａの底５ｂは、中心線Ｙ１から内側縁２ａの側に偏倚して位置している。底５ｂは、中心線Ｙ１と内側縁２ａとの間において、中心線Ｙ１から約１／３の距離にあることが好ましい。このようにすることで、パンツ１の凹欠部５を着用者の臀部と腹部との湾曲形状に近づけることができる。
【００２７】
中間身頃シート２Ａ，２Ｂと左右身頃シート３Ａ，３Ｂとのうちの一方または双方には、熱可塑性繊維で形成したスパンボンド不織布やメルトブローン不織布等を使用することが好ましい。不織布には、開口を形成して透湿性を向上させたもの、不織布にエンボスをかけて凹凸を形成し、クッション性を向上させたものや伸縮性を付与したものを使用することもできる。中間身頃シート２Ａ，２Ｂは、着用者の股下に当接するので、吸液性、透湿性、柔軟性に優れた素材、たとえば、レーヨンやコットン等の繊維を含む不織布を使用することが好ましい。
【００２８】
パンツ１の形状を保持するために、左右身頃シート３Ａ，３Ｂの剛性を中間身頃シート２Ａ，２Ｂのそれよりも大きくしてもよい。たとえば、左右身頃シート３Ａ，３Ｂに目付４０ｇ／ｍ２以上のスパンボンド不織布を使用することができる。
【００２９】
中間身頃シート２Ａ，２Ｂと左右身頃シート３Ａ，３Ｂとのうちの少なくとも一方には、それらシートの幅方向、または、幅方向と長手方向との双方に伸縮性を有する不織布を使用することもできる。この場合は、第１，２弾性部材４Ａ，４Ｂ，４Ｃ，４Ｄ，４Ｅ，４Ｆを省くことができる。
【００３０】
第１，２弾性部材４Ａ，４Ｂ，４Ｃ，４Ｄ，４Ｅ，４Ｆは、中間身頃シート２Ａ，２Ｂと左右身頃シート３Ａ，３Ｂとの外面３ｆに取り付けられていてもよく、内外面３ｅ，３ｆの双方に取り付けられていてもよい。第１，２弾性部材４Ａ，４Ｂ，４Ｃ，４Ｄ，４Ｅ，４Ｆとしては、合成ゴム、天然ゴム、合成ゴムを配合した伸縮性フィルム、合成ゴムを主成分としたスパンボンド不織布やメルトブローン不織布、伸縮性材料を伸長状態で不織布に貼着した複合材料等を使用することができる。また、中間身頃シート２Ａ，２Ｂと左右身頃シート３Ａ，３Ｂとに取り付けられた第１，２弾性部材４Ａ，４Ｂ，４Ｃ，４Ｄ，４Ｅ，４Ｆを不織布で被覆することもできる。
【００３１】
パンツ１には、図示はしていないが、透液性トップシートと不透液性バックシートとの間に吸収性コアが介在する吸収性物品を別途取り付けることもできる。吸収性物品は、パンツ１の前後側に連結した保持帯に、吸収性物品の下面に装着した止着シート、たとえば、摩擦係数の高いウレタンフォームや粘着材シートに載置して用いる。
【００３２】
左右身頃シート３Ａ，３Ｂと中間身頃シート２Ａ，２Ｂとの内外側縁２ａ，２ｂ，３ａ，３ｂのうちの双方が、上端縁２ｃ、３ｃから下端縁２ｄ、３ｄへ向かって中心線Ｙ１，Ｙ２へ次第に近づくように弧を画いて延びていてもよいし、中心線Ｙ１，Ｙ２へ次第に近づくように直状に延びていてもよい。
【００３３】
それらシートの接合には、ホットメルト接着剤等の接着剤や粘着材、ヒートシールやソニックシール等の技術を使用することができる。
【００３４】
【発明の効果】
本発明に係るトランクス型パンツによれば、パンツの上端縁から下端縁に向かって接合線が延びているので、接合線の剛性で着用中にパンツの裾が上方にめくり上がり難い。特に、中間身頃シートと左右身頃シートとが不織布で形成されている場合、それら身頃を互いに固着するだけなので、布地の縫製と比較して安価、容易に製造することができ、再使用することがない使い捨てに適している。
【図面の簡単な説明】
【図１】  トランクス型パンツの斜視図。
【図２】  図１のパンツの分解平面図。
【図３】  図１のパンツの分解斜視図。
【図４】  図１のＡ−Ａ線断面図。
【図５】  中間身頃シートの平面図。
【符号の説明】
１            使い捨てのトランクス型パンツ
２Ａ，２Ｂ    中間身頃シート
２ａ          内側縁
２ｂ          外側縁
２ｃ          上端縁
２ｄ          下端縁
３Ａ          左身頃シート
３Ｂ          右身頃シート
３ａ          内側縁
３ｂ          外側縁
３ｃ          上端縁
３ｄ          下端縁
４Ａ〜４Ｆ    第１，２弾性部材
５            凹欠部
５ａ          縁
５ｂ          底
６            胴周り開口
７            脚周り開口
Ｗ３，Ｗ４    寸法
α１，α２    角度
【図１】
0003652535.tif 000002
【図２】
0003652535.tif 000003
【図３】
0003652535.tif 000004
【図４】
0003652535.tif 000005
【図５】
0003652535.tif 000006